【手続補正書】
【提出日】平成18年5月2日(2006.5.2)
【手続補正１】
【補正対象書類名】明細書
【補正対象項目名】特許請求の範囲
【補正方法】変更
【補正の内容】
【特許請求の範囲】
【請求項１】  式Ｉ
【化１】
2002514628.tif 000001
（式中、
Ｒ21は水素またはＣ1〜Ｃ6アルキルであり；
ＲQは
【化２】
2002514628.tif 000002
であり；
ｎは０または１であり；
Ａは−ＣＯＲa、−ＣＯ2Ｒa′、−ＣＯＮＨＲa′、−ＣＳＲa、−Ｃ(Ｓ)ＯＲa′、−Ｃ(Ｓ)ＮＨＲa′、−ＳＯ2Ｒa、−ＣＯＮＲaＲa″、−Ｃ(＝Ｏ)ＳＲa、または−Ｃ(＝Ｓ)−ＮＲaＲa″であり；
Ｒa、Ｒa′、およびＲa″は独立してＣ1〜Ｃ6アルキル、−(ＣＨ2)m−シクロアルキル、−(ＣＨ2)m−アリール、または−(ＣＨ2)m−ヘテロアリールであり;
各ｍは独立して０〜３であり；
Ｒ1、Ｒ2、およびＲ4は独立して水素またはＣ1〜Ｃ6アルキルであり；
Ｒ3は
【化３】
2002514628.tif 000003
−(ＣＨ2)m−(Ｒbで置換されたヘテロアリール)、またはＣ1〜Ｃ6アルキルであり；
ｔは２〜６であり；
Ｒbは−Ｏ−フェニル、−Ｏ−ベンジル、ハロゲン、Ｃ1〜Ｃ6アルキル、水素、−Ｏ−Ｃ1〜Ｃ6アルキル、−ＮＨ2、−ＮＨＲa、ＮＲaＲa′、−Ｃ(＝Ｏ)Ｃ1〜Ｃ6アルキル、−Ｃ(＝Ｏ)−アリール、−ＯＨ、−ＣＦ3、−ＮＯ2、−Ｃ(＝Ｏ)ＯＨ、−Ｃ(＝Ｏ)ＯＣ1〜Ｃ6アルキル、−ＣＮ、−ＯＰＯ3Ｈ2、−ＣＨ2ＰＯ3Ｈ2、−Ｃ(＝Ｏ)Ｏアリール、−Ｎ3、−ＣＦ2ＣＦ3、−ＳＯ2Ｒa、−ＳＯ2ＮＲaＲa′、−ＣＨＯ、−ＯＣＯＣＨ3、−Ｏ(ＣＨ2)m−ヘテロアリール、−Ｃ(＝Ｏ)ＮＲaＲa′、−ＮＨ−Ｃ(＝Ｏ)−Ｒa、−Ｏ−(ＣＨ2)yＮＲaＲa′、−Ｏ−(ＣＨ2)m−シクロアルキル、−(ＣＨ2)m−シクロアルキル、−Ｏ−(ＣＨ2)m−アリール、−(ＣＨ2)m−アリール、または−(ＣＨ2)m−ヘテロアリールであり；
ｙは２または３であり；
Ｒ5は
【化４】
2002514628.tif 000004
であり；
Ｒi、Ｒg、およびＲhは独立して水素、ハロゲン、−ＯＣ1〜Ｃ6アルキル、Ｃ1〜Ｃ6アルキル、−ＣＮ、−ＯＰＯ3Ｈ2、−ＮＨ−Ｃ(＝Ｏ)−Ｒa、−ＣＨ2ＰＯ3Ｈ2、−Ｏ−フェニル、−Ｏ−ベンジル、−ＮＨ2、−ＮＨＲa、−Ｏ−(ＣＨ2)yＮＲaＲa′、−ＮＲaＲa′、−Ｃ(＝Ｏ)Ｃ1〜Ｃ6アルキル、−Ｃ(＝Ｏ)−アリール、−ＯＨ、−ＣＦ3、−ＮＯ2、−
Ｃ(＝Ｏ)ＯＨ、−Ｃ(＝Ｏ)ＯＣ1〜Ｃ6アルキル、−Ｃ(＝Ｏ)Ｏアリール、−Ｎ3、−ＣＦ2ＣＦ3、−ＳＯ2Ｒa、−ＳＯ2ＮＲaＲa′、−ＣＨＯ、または−ＯＣＯＣＨ3；および
Ｒc、Ｒd、Ｒe、およびＲfは独立してＣ1〜Ｃ6アルキル、−(ＣＨ2)m−フェニル、水素、−(ＣＨ2)m−ＯＨ、−(ＣＨ2)mＮＨ2、−(ＣＨ2)m−シクロアルキル、または−ＣＮである）
を有する化合物またはその各化合物の製薬上許容し得る塩、エステル、アミドもしくはプロドラッグと、ＨＭＧ ＣｏＡリダクターゼ阻害活性を有する化合物との組み合わせ。
【請求項２】  Ｒ1は水素であり、Ｒ2は水素であり、Ｒ4は水素であり、Ｒ21は水素またはＣＨ3であり；そしてＡは
【化５】
2002514628.tif 000005
である、請求項１記載の組み合わせ。
【請求項３】  Ｒ3は
【化６】
2002514628.tif 000006
または−ＣＨ2−ＣＨ(ＣＨ3)2であり、Ｒ1は水素であり、Ｒ2は水素であり、Ｒ4は水素であり、そしてＲ21は水素またはＣＨ3である、請求項１記載の組み合わせ。
【請求項４】  Ｒ5は
【化７】
2002514628.tif 000007
（式中、Ｒiは水素、Ｃｌ、Ｂｒ、Ｆ、またはＮＨ2である）である、請求項１記載の組み合わせ。
【請求項５】  式II
【化８】
2002514628.tif 000008
（式中、
Ｒ6は−Ｏ−ベンジル、−ＮＨ−ベンジル、または
【化９】
2002514628.tif 000009
であり；
Ｒ21は水素またはメチルであり；
Ｒ7は水素またはメチルであり；
Ｒ8は水素、ハロゲン、Ｃ1〜Ｃ6アルキル、−Ｏ−ベンジル、−ＯＣ1〜Ｃ6アルキル、−ＣＦ3、−ＯＨ、−Ｏ−(ＣＨ2)m−ピリジル、またはフェニルであり；
Ｒ10、Ｒ11、Ｒ13、およびＲ14は独立して水素、Ｃ1〜Ｃ6アルキル、または−(ＣＨ2)m−フェニルであり；
各ｍは独立して０〜３であり；
Ｒ12は
【化１０】
2002514628.tif 000010
であり；そして
Ｒj、Ｒk、およびＲ1は独立して水素、ハロゲン、−ＯＣ1〜Ｃ6アルキル、−Ｃ1〜Ｃ6アルキル、−ＮＨＲa、またはＮＨ2である）
を有する化合物またはその各化合物の製薬上許容し得る塩、エステル、アミドもしくはプロドラッグと、ＨＭＧ ＣｏＡリダクターゼ阻害活性を有する化合物との組み合わせ。
【請求項６】  Ｒ11およびＲ14はメチルである、請求項５記載の組み合わせ。
【請求項７】  Ｒ8はメチルまたはメトキシである、請求項５記載の組み合わせ。
【請求項８】  式III
【化１１】
2002514628.tif 000011
（式中、
ＸはＮＨ、Ｏ、または−Ｎ(ＣＨ3)であり；
Ｒ15は−Ｏ−ベンジル、−ＣＦ3、水素、ハロゲン、−ＯＣ1〜Ｃ6アルキル、フェニル、−Ｏ−(ＣＨ2)m−ピリジル、または−Ｃ1〜Ｃ6アルキルであり；
ｍは０〜３であり；そして
Ｒ16はフェニル、水素、またはＣ1〜Ｃ6アルキルである）
を有する化合物またはその各化合物の製薬上許容し得る塩、エステル、アミドもしくはプロドラッグと、ＨＭＧ ＣｏＡリダクターゼ阻害活性を有する化合物との組み合わせ。
【請求項９】  式IV
【化１２】
2002514628.tif 000012
（式中、
ＸはＮＨ、Ｏ、またはＮ(ＣＨ3)であり；
Ｒ15は−Ｏ−ベンジル、−ＣＦ3、水素、ハロゲン、Ｃ1〜Ｃ6アルキル、−ＯＣ1〜Ｃ6アルキル、フェニル、または−Ｏ−(ＣＨ2)m−ピリジルであり；
Ｒ16およびＲ16′はＣ1〜Ｃ6アルキルであり；
ｍは０〜３であり；そして
Ｒ21は水素、またはメチルである）
を有する化合物またはその各化合物の製薬上許容し得る塩、エステル、アミドもしくはプロドラッグと、ＨＭＧ ＣｏＡリダクターゼ阻害活性を有する化合物との組み合わせ。
【請求項１０】  式Ｖ
【化１３】
2002514628.tif 000013
（式中、
ＲQは
【化１４】
2002514628.tif 000014
であり；
Ｘは０または１であり；
Ｒ14は水素またはＣ1〜Ｃ6アルキルであり；
Ａは−ＣＯＲa、−ＣＯ2Ｒa′、−ＣＯＮＨＲa′、−ＣＳＲa、−Ｃ(＝Ｏ)ＳＲa、−Ｃ(＝Ｓ)ＮＲaＲa″、−Ｃ(Ｓ)ＯＲa′、−Ｃ(Ｓ)ＮＨＲa′、−ＳＯ2Ｒa、または−ＣＯＮＲaＲa″であり；
Ｒa、Ｒa′、およびＲa″は独立してＣ1〜Ｃ6アルキル、−(ＣＨ2)m−シクロアルキル、−(ＣＨ2)m−アリール、または−(ＣＨ2)m−ヘテロアリールであり;
各ｍは独立して０〜３であり；
Ｒ1、Ｒ2、およびＲ4は独立して水素またはＣ1〜Ｃ6アルキルであり；
Ｒ3は
【化１５】
2002514628.tif 000015
Ｃ1〜Ｃ6アルキル、Ｃ2〜Ｃ6アルケニル、−(ＣＨ2)m−ヘテロアリール、−(ＣＨ2)m−ナフチル、−(ＣＨ2)m−(Ｒbで置換されたフェニル)、または−(ＣＨ2)m−(Ｒbで置換されたヘテロアリール)であり；
ｔは２〜６であり；
Ｒbは−Ｏ−フェニル、−Ｏ−ベンジル、ハロゲン、Ｃ1〜Ｃ6アルキル、水素、−ＯＣ1〜Ｃ6アルキル、−ＮＨ2、−ＮＨＲa、ＮＲaＲa′、−Ｃ(＝Ｏ)Ｃ1〜Ｃ6アルキル、−Ｃ(＝Ｏ)−アリール、−ＯＨ、−ＣＦ3、−ＮＯ2、−Ｃ(＝Ｏ)ＯＨ、−Ｃ(＝Ｏ)ＯＣ1〜Ｃ6アルキル、−ＣＮ、−ＯＰＯ3Ｈ2、−ＣＨ2ＰＯ3Ｈ2、−Ｃ(＝Ｏ)Ｏアリール、−Ｃ(＝Ｏ)ＮＨ2、−Ｃ(＝Ｏ)ＮＨＲa、−Ｃ(＝Ｏ)ＮＲaＲa′、−ＮＨＣ(＝Ｏ)Ｒa、−Ｏ(ＣＨ2)yＮＲaＲa′、−Ｎ3、−ＣＦ2ＣＦ3、−ＳＯ2Ｒa、−ＳＯ2ＮＲaＲa′、−ＣＨＯ、−ＯＣＯＣＨ3、−Ｏ(ＣＨ2)m−ヘテロアリール、−Ｏ(ＣＨ2)m−アリール、−Ｏ(ＣＨ2)m−シクロアルキル、−(ＣＨ2)m−アリール、−(ＣＨ2)m−シクロアルキル、−(ＣＨ2)m−ヘテロアリール、または−ＣＨ＝ＣＨＣ6Ｈ5であり；
ｙは２または３であり；
Ｒ5は
【化１６】
2002514628.tif 000016
であり；
各ｎは独立して２、３または４であり；
Ｒi、Ｒg、およびＲhは独立して水素、ハロゲン、−ＯＣ1〜Ｃ6アルキル、Ｃ1〜Ｃ6アルキル、−ＣＮ、−ＯＰＯ3Ｈ2、−ＣＨ2ＰＯ3Ｈ2、−Ｏ−フェニル、−Ｏ−ベンジル、−ＮＨ2、−ＮＨＲa、−ＮＲaＲa′、−Ｃ(＝Ｏ)Ｃ1〜Ｃ6アルキル、−Ｃ(＝Ｏ)−アリール、−Ｃ(＝Ｏ)ＮＨ2、Ｃ(＝Ｏ)ＮＨＲa、−Ｃ(＝Ｏ)ＮＲaＲa′、−ＮＨＣ(＝Ｏ)Ｒa、−Ｏ(ＣＨ2)yＮＲaＲa′、−ＯＨ、−ＣＦ3、−ＮＯ2、−Ｃ(＝Ｏ)ＯＨ、−Ｃ(＝Ｏ)ＯＣ1〜Ｃ6アルキル、−Ｃ(＝Ｏ)Ｏアリール、−Ｎ3、−ＣＦ2ＣＦ3、−ＳＯ2Ｒa、−ＳＯ2ＮＲaＲa′、−ＣＨＯ、または−ＯＣＯＣＨ3；および
ＲcおよびＲdは独立してＣ1〜Ｃ6アルキル、−(ＣＨ2)m−シクロアルキル、または水素である）
を有する化合物またはその各化合物の製薬上許容し得る塩、エステル、アミドもしくはプロドラッグと、ＨＭＧ ＣｏＡリダクターゼ阻害活性を有する化合物との組み合わせ。
【請求項１１】  式VI
【化１７】
2002514628.tif 000017
（式中、
Ｒ6は−Ｏ−ベンジル、−ＮＨ−ベンジル、−Ｎ(Ｃ1〜Ｃ6アルキル)−ベンジル、または−ＳＣＨ2−フェニルであり；
Ｒ8は水素、ハロゲン、Ｃ1〜Ｃ6アルキル、−Ｏ−ベンジル、−ＯＣＨ2−ピリジル、−ＯＣ1〜Ｃ6アルキル、−ＣＦ3、−ＯＨ、または−フェニルであり；
Ｒ10およびＲ13は独立して水素またはＣ1〜Ｃ6アルキルであり；
各ｎは独立して２、３または４であり；
Ｒ14は水素またはメチルであり；
Ｒ12は
【化１８】
2002514628.tif 000018
であり；そして
Ｒj、Ｒk、およびＲlは独立して水素、ハロゲン、−ＮＨ2、−ＮＨＲa、−ＯＣ1〜Ｃ6アルキル、または−Ｃ1〜Ｃ6アルキルである）
を有する化合物またはその各化合物の製薬上許容し得る塩、エステル、アミドもしくはプロドラッグと、ＨＭＧ ＣｏＡリダクターゼ阻害活性を有する化合物との組み合わせ。
【請求項１２】  式VII
【化１９】
2002514628.tif 000019
（式中、
各ｎは２、３、または４であり；
ＸはＮＨ、Ｏ、または−ＮＣＨ3であり；
Ｒ15は−Ｏ−ベンジル、−ＣＦ3、水素、ハロゲン、−ＯＨ、−フェニル、−Ｃ1〜Ｃ6アルキル、−ＯＣＨ2−ピリジルまたは−ＯＣ1〜Ｃ6アルキルである）
を有する化合物またはその各化合物の製薬上許容し得る塩、エステル、アミドもしくはプロドラッグと、ＨＭＧ ＣｏＡリダクターゼ阻害活性を有する化合物との組み合わせ。
【請求項１３】  式VIII
【化２０】
2002514628.tif 000020
（式中、
ｎは１または２であり；
ＡはＲ2が下記に定義するとおりのＣＯＲ2、ＣＯ2Ｒ2、ＣＯＮＨＲ2、ＣＳＲ2、Ｃ(Ｓ)ＯＲ2、Ｃ(Ｓ)ＮＨＲ2、またはＳＯ2Ｒ2であり；
Ｒは独立してＨまたはＭｅであり；
Ｒ2はアルキル、ｍが０、１、２、または３である(ＣＨ2)m−シクロアルキル、(ＣＨ2)m−アリール、(ＣＨ2)m−ヘテロアリールであり；
Ｒ3およびＲ4は独立して
【化２１】
2002514628.tif 000021
または(ＣＨ2)nＣＯＮＨ−Ｒ6（式中、ｙは１〜５であり、ｎは上記で定義したとおりであり、Ｒ5およびＲ6は下記に定義するとおりであるか、またはＲ3およびＲ4は結合して下記の型の環を形成する）：
【化２２】
2002514628.tif 000022
（式中Ｒ5およびＲ6は下記に定義したとおりであるか、またはｘが２〜５であり、Ｒ7が下記に定義したとおりである(ＣＨ2)x−Ｒ7であり；
Ｒ5はＲ2が上記で定義したとおりであるＲ2、ＯＲ2、またはＳＲ2であり；
Ｒ6はｎ、Ｒ2、およびＲ5が上記で定義したとおりであり、Ｒ8が下記に定義したとおりである(ＣＨ2)nＲ5、(ＣＨ2)nＣＯ2Ｒ2、(ＣＨ2)nＣＯＮＨＲ2、(ＣＨ2)nＣＯＮＨ(ＣＨ2)n+1Ｒ5、ＣＨ(ＣＯＲ8)(ＣＨ2)nＲ5であり；
Ｒ7はｍが０、１、２、または３である(ＣＨ2)m−シクロアルキル、(ＣＨ2)m−アリール、(ＣＨ2)m−ヘテロアリール、Ｏ(ＣＨ2)m−シクロアルキル、Ｏ(ＣＨ2)m−アリール、Ｏ(ＣＨ2)m−ヘテロアリールであり；
Ｒ8はＯＨ、Ｏ−アルキル、ＮＨ2、またはＮＨ−アルキルであり；そして
ＸはＨ、Ｍｅ、Ｒ9がＨまたはアルキルである(ＣＨ2)nＣＯ2Ｒ9、または(ＣＨ2)nＰ(Ｏ)(ＯＲ9)2である）
を有する化合物またはその各化合物の製薬上許容し得る塩、エステル、アミドもしくはプロドラッグと、ＨＭＧ ＣｏＡリダクターゼ阻害活性を有する化合物との組み合わせ。
【請求項１４】  式IX
【化２３】
2002514628.tif 000023
（式中、
ＡはＲ2が下記に定義するとおりのＣＯ2Ｒ2、ＣＯＮＨＲ2、Ｃ(Ｓ)ＯＲ2、またはＣ(Ｓ)ＮＨＲ2に限定され；
ＲはＨまたはＭｅであり；
Ｒ2はアルキル、ｍが０、１、２、または３である(ＣＨ2)m−シクロアルキル、(ＣＨ2)m−アリール、(ＣＨ2)m−ヘテロアリールに限定され；
Ｒ5はｍが上記で定義したとおりである(ＣＨ2)m−アリール、Ｏ−(ＣＨ2)m−アリール、またはＯ−(ＣＨ2)m−ヘテロアリールに限定され；
Ｒ6はｎが１または２、およびＲ5およびＲ2が上記で定義したとおりであるＣＨ2−Ｒ5、ＣＨ2ＣＯ2Ｒ2、ＣＨ2ＣＯＮＨＲ2に限定され；そして
ＸはＨまたはＭｅに限定される）
を有する化合物またはその各化合物の製薬上許容し得る塩、エステル、アミドもしくはプロドラッグと、ＨＭＧ ＣｏＡリダクターゼ阻害活性を有する化合物との組み合わせ。
【請求項１５】  式Ｘ
【化２４】
2002514628.tif 000024
（式中、
ＡはＲ2が下記に定義するとおりのＣＯ2Ｒ2、ＣＯＮＨＲ2、Ｃ(Ｓ)ＯＲ2、またはＣ(Ｓ)ＮＨＲ2に限定され；
ＲはＨまたはＭｅであり；
Ｒ2はアルキル、ｍが０、１、２、または３である(ＣＨ2)m−シクロアルキル、(ＣＨ2)m−アリール、(ＣＨ2)m−ヘテロアリールに限定され；
Ｒ5はｍが上記で定義したとおりである(ＣＨ2)m−アリール、Ｏ−(ＣＨ2)m−アリール、またはＯ−(ＣＨ2)m−ヘテロアリールに限定され；
Ｒ6はｎが１または２、およびＲ5およびＲ2が上記で定義したとおりであるＣＨ2−Ｒ5、ＣＨ2ＣＯ2Ｒ2、ＣＨ2ＣＯＮＨＲ2に限定され；そして
ＸはＨまたはＭｅに限定される）
を有する化合物またはその各化合物の製薬上許容し得る塩、エステル、アミドもしくはプロドラッグと、ＨＭＧ ＣｏＡリダクターゼ阻害活性を有する化合物との組み合わせ。
【請求項１６】  ＡはＲ2が下記に定義するとおりのＣＯ2Ｒ2またはＣＯＮＨＲ2にさらに限定され；
ＲはＨに限定され；
Ｒ2はアルキル、またはｍが０、１、２、もしくは３である(ＣＨ2)m−アリールに限定され；
Ｒ5はｍが上記で定義したとおりである(ＣＨ2)m−アリールまたはＯ−(ＣＨ2)m−アリールに限定され；
Ｒ6はｎが１または２、およびＲ5およびＲ2が上記で定義したとおりであるＣＨ2−Ｒ5またはＣＨ2ＣＯＮＨＲ2に限定され；そして
ＸはＨまたはＭｅに限定される、請求項１４記載の組み合わせ。
【請求項１７】  ＡはＲ2が下記に定義するとおりのＣＯ2Ｒ2またはＣＯＮＨＲ2にさらに限定され；
ＲはＨに限定され；
Ｒ2はアルキル、またはｍが０、１、２、もしくは３である(ＣＨ2)m−アリールに限定され；
Ｒ5はｍが上記で定義したとおりである(ＣＨ2)m−アリールまたはＯ−(ＣＨ2)m−アリールに限定され；
Ｒ6はｎが１または２、およびＲ5およびＲ2が上記で定義したとおりであるＣＨ2−Ｒ5またはＣＨ2ＣＯＮＨＲ2に限定され；そして
ＸはＨまたはＭｅに限定される、請求項１５記載の組み合わせ。
【請求項１８】  請求項１記載の組み合わせからなる製薬上許容される組成物。
【請求項１９】  請求項１０記載の組み合わせからなる製薬上許容される組成物。
【請求項２０】  請求項１３記載の組み合わせからなる製薬上許容される組成物。
【請求項２１】  下記の化合物：
（Ｓ）−［１−［（４−ベンジルオキシ−ベンジル）−（フェネチル−カルバモイル−メチル）−カルバモイル］−２−（３Ｈ−イミダゾール−４−イル）−エチル］−カルバミン酸ベンジルエステル；
（Ｓ）−［１−［［２−ベンジルオキシ−エチルカルバモイル］−メチル］−［４−クロロベンジル］−カルバモイル］−２−（１Ｈ−イミダゾール−４−イル）−エチル］−カルバミン酸ベンジルエステル；
（Ｓ）−［１−［（４−ベンジルオキシ−ベンジル）−［（２−フェニル−プロピル−カルバモイル）−メチル］−カルバモイル］−２−（１Ｈ−イミダゾール−４−イル）−エチル］−カルバミン酸ベンジルエステル；
（Ｓ）−［１−［（４−ベンジルオキシ−ベンジル）−［（２,２−ジフェニル−エチルカルバモイル）−メチル］−カルバモイル］−２−（１Ｈ−イミダゾール−４−イル）−エチル］−カルバミン酸ベンジルエステル；
（Ｓ）−Ｎ−（４−ベンジルオキシ−ベンジル）−２−（３−ベンジル−ウレイド）−３−（１Ｈ−イミダゾール−４−イル）−Ｎ−［（２−フェニル−プロピルカルバモイル）−メチル］−プロピオンアミド；
（Ｓ）−［１−｛ビフェニル−４−イルメチル−［（２−メチル−２−フェニル−プロピルカルバモイル）−メチル］−カルバモイル｝−２−（１Ｈ−イミダゾール−４−イル）−エチル］−カルバミン酸ベンジルエステル；
（Ｓ）−［１−｛ビフェニル−４−イルメチル−［（２−フェニル−プロピルカルバモイル）−メチル］−カルバモイル｝−２−（１Ｈ−イミダゾール−４−イル）−エチル］−カルバミン酸ベンジルエステル；
（Ｓ）−［１−（（４−ベンジルオキシ−ベンジル）−｛［２−（２−フルオロ−フェニル）−エチルカルバモイル］−メチル｝−カルバモイル）−２−（１Ｈ−イミダゾール−４−イル）−エチル］−カルバミン酸ベンジルエステル；
（Ｓ）−［１−｛（４−ベンジルオキシ−ベンジル）−［（２−ピリジン−２−イル−エチルカルバモイル）−メチル］−カルバモイル｝−２−（１Ｈ−イミダゾール−４−イル）−エチル］−カルバミン酸ベンジルエステル；
（Ｓ）−［１−（（４−ベンジルオキシ−ベンジル）−｛［２−（２−ブロモ−フェニル）−エチルカルバモイル］−メチル｝−カルバモイル）−２−（１Ｈ−イミダゾール−４−イル）−エチル］−カルバミン酸ベンジルエステル；
（Ｓ）−［１−｛（４−ベンジルオキシ−ベンジル）−［（１−メチル−２−フェニル
−エチルカルバモイル）−メチル］−カルバモイル｝−２−（１Ｈ−イミダゾール−４−イル）−エチル］−カルバミン酸ベンジルエステル；
（Ｓ）−［１−｛（４−ベンジルオキシ−ベンジル）−［（２−フェニル−２−ピリジン−２−イル−エチルカルバモイル）−メチル］−カルバモイル｝−２−（１Ｈ−イミダゾール−４−イル）−エチル］−カルバミン酸ベンジルエステル；
（Ｓ）−［１−｛（４−クロロ−ベンジル）−［（２−フェニル−プロピルカルバモイル）−メチル］−カルバモイル｝−２−（１Ｈ−イミダゾール−４−イル）−エチル］−カルバミン酸ベンジルエステル；
（Ｓ）−［１−｛（４−ベンジルオキシ−ベンジル）−［（２−フェニル−ブチルカルバモイル）−メチル］−カルバモイル｝−２−（１Ｈ−イミダゾール−４−イル）−エチル］−カルバミン酸ベンジルエステル；
（Ｓ）−Ｎ−（４−ベンジルオキシ−ベンジル）−３−（１Ｈ−イミダゾール−４−イル）−２−（３−フェニル−プロピオニルアミノ）−Ｎ−［（２−フェニル−プロピルカルバモイル）−メチル］−プロピオンアミド；
（Ｓ）−［１−｛（４−フルオロ−ベンジル）−［（２−フェニル−プロピルカルバモイル）−メチル］−カルバモイル｝−２−（１Ｈ−イミダゾール−４−イル）−エチル］−カルバミン酸ベンジルエステル；
（Ｓ）−（２−（１Ｈ−イミダゾール−４−イル）−１−｛（４−メチル−ベンジル）−［（２−フェニル−プロピルカルバモイル）−メチル］−カルバモイル｝−エチル）−カルバミン酸ベンジルエステル；
（Ｓ）−（２−（１Ｈ−イミダゾール−４−イル）−１−｛（４−メトキシ−ベンジル）−［（２−フェニル−プロピルカルバモイル）−メチル］−カルバモイル｝−エチル）−カルバミン酸ベンジルエステル；
（Ｓ）−［１−［｛［２−(２−アミノ−フェニル）−プロピルカルバモイル]−メチル｝−（４−ベンジルオキシ−ベンジル）−カルバモイル］−２−（３Ｈ−イミダゾール−４−イル）−エチル］−カルバミン酸ベンジルエステル；
（Ｓ）−［１−｛（４−フルオロ−ベンジル）−［（２−メチル−２−フェニル−プロピルカルバモイル）−メチル］−カルバモイル｝−２−（１Ｈ−イミダゾール−４−イル）−エチル］−カルバミン酸ベンジルエステル；
（Ｓ）−［１−｛ベンジル−［（２−フェニル−プロピルカルバモイル）−メチル］−カルバモイル｝−２−（１Ｈ−イミダゾール−４−イル）−エチル］−カルバミン酸ベンジルエステル；
（Ｓ）−［１−（(４−ベンジルオキシ−ベンジル)−｛［２−（２−クロロ−フェニル）−２−フェニル−エチルカルバモイル］−メチル｝−カルバモイル）−２−（１Ｈ−イミダゾール−４−イル）−エチル］−カルバミン酸ベンジルエステル；
（Ｓ）−［１−｛（４−ベンジルオキシ−ベンジル）−［（２−エチル−２−フェニル−ブチルカルバモイル）−メチル］−カルバモイル｝−２−（３Ｈ−イミダゾール−４−イル）−エチル］−カルバミン酸ベンジルエステル；
（Ｓ）−Ｎ−（４−ベンジルオキシ−ベンジル）−２−（３−ベンジル−ウレイド）−３−（１Ｈ−イミダゾール−４−イル）−Ｎ−［（２−フェニル−プロピルカルバモイル）−メチル］−プロピオンアミド；
（Ｓ）−Ｎ−（４−ベンジルオキシ−ベンジル）−２−（３−ベンジル−ウレイド）−３−（１Ｈ−イミダゾール−４−イル）−Ｎ−［（２−フェニル−ブチルカルバモイル）−メチル］−プロピオンアミド；
（Ｓ）−［１−｛（２−クロロ−ベンジル）−［（２−フェニル−プロピルカルバモイル）−メチル］−カルバモイル｝−２−（１Ｈ−イミダゾール−４−イル）−エチル］−カルバミン酸ベンジルエステル；
（Ｓ）−［１−｛（４−ブロモ−ベンジル）−［（２−フェニル−プロピルカルバモイル）−メチル］−カルバモイル｝−２−（１Ｈ−イミダゾール−４−イル）−エチル］−カルバミン酸ベンジルエステル；
（Ｓ）−［１−｛（３−クロロ−ベンジル）−［（２−フェニル−プロピルカルバモイル）−メチル］−カルバモイル｝−２−（１Ｈ−イミダゾール−４−イル）−エチル］−カルバミン酸ベンジルエステル；
（Ｓ）−［１−｛（４−クロロ−ベンジル）−［（２−メチル−２−フェニル−プロピルカルバモイル）−メチル］−カルバモイル｝−２−（１Ｈ−イミダゾール−４−イル−エチル］−カルバミン酸ベンジルエステル；
（Ｓ）−［１−（（４−ベンジルオキシ−ベンジル）−｛［２−（２−クロロ−フェニル）−プロピルカルバモイル］−メチル｝−カルバモイル）−２−（１Ｈ−イミダゾール−４−イル）−エチル］−カルバミン酸ベンジルエステル；
（Ｓ）−（２−（１Ｈ−イミダゾール−４−イル）−１−｛（２−メトキシ−ベンジル）−［（２−フェニル−プロピルカルバモイル）−メチル］−カルバモイル｝−エチル）−カルバミン酸ベンジルエステル；
（Ｓ）−（２−（１Ｈ−イミダゾール−４−イル）−１−｛［（２−フェニル−プロピルカルバモイル）−メチル］−［４−（ピリジン−４−イルメトキシ）−ベンジル」−カルバモイル｝−エチル）−カルバミン酸ベンジルエステル；
（Ｓ）−（２−（１Ｈ−イミダゾール−４−イル）−１−｛（３−メトキシ−ベンジル）−［（２−フェニル−プロピルカルバモイル）−メチル］−カルバモイル｝−エチル）−カルバミン酸ベンジルエステル；
（Ｓ）−（２−（１Ｈ−イミダゾール−４−イル）−１−｛［（２−フェニル−プロピルカルバモイル）−メチル］−［４−（ピリジン−３−イルメトキシ）−ベンジル］−カルバモイル｝−エチル）−カルバミン酸ベンジルエステル；
（Ｓ）−（２−（１Ｈ−イミダゾール−４−イル）−１−｛ナフタレン−１−イルメチル−［（２−フェニル−プロピルカルバモイル）−メチル］−カルバモイル｝−エチル）−カルバミン酸ベンジルエステル；
（Ｓ）−｛２−（１Ｈ−イミダゾール−４−イル）−１−［［（２−フェニル−プロピルカルバモイル）−メチル］−（４−トリフルオロメチル−ベンジル）−カルバモイル］−エチル｝−カルバミン酸ベンジルエステル；
（Ｓ）−（２−（１Ｈ−イミダゾール−４−イル）−１−｛［（２−メチル−２−フェニル−プロピルカルバモイル）−メチル］−ピリジン−３−イルメチル−カルバモイル｝−エチル）−カルバミン酸ベンジルエステル；
（Ｓ）−（２−（１Ｈ−イミダゾール−４−イル）−１−｛［（２−メチル−２−フェニル−プロピルカルバモイル）−メチル］−［４−（ピリジン−２−イルメトキシ）−ベンジル］−カルバモイル｝−エチル）−カルバミン酸ベンジルエステル；
（Ｓ）−［１−｛ベンジルー［（２−メチル−２−フェニル−プロピルカルバモイル）−メチル］−カルバモイル｝−２−（１Ｈ−イミダゾール−４−イル）−エチル］−カルバミン酸ベンジルエステル；
（Ｓ）−（２−（１Ｈ−イミダゾール−４−イル）−１−｛（２−メチル−ベンジル）−［（２−フェニル−プロピルカルバモイル）−メチル］−カルバモイル｝−エチル）−カルバミン酸ベンジルエステル；
（Ｓ）−（２−（１Ｈ−イミダゾール−４−イル）−１−｛（４−メトキシ−ベンジル）−［(２−メチル−２−フェニル−プロピルカルバモイル)−メチル］−カルバモイル｝−エチル）−カルバミン酸ベンジルエステル；
（Ｓ）−［１−｛（４−ベンジルオキシ−ベンジル）−［（２−シアノ−２−フェニル−エチルカルバモイル）−メチル］−カルバモイル｝−２−（１Ｈ−イミダゾール−４−イル）−エチル］−カルバミン酸ベンジルエステル；
（Ｓ）−（２−（１Ｈ−イミダゾール−４−イル）−１−｛［（２−メチル−２−フェニル−プロピルカルバモイル）−メチル］−ピリジン−２−イルメチル−カルバモイル｝−エチル）−カルバミン酸ベンジルエステル；
（Ｓ）−（２−（１Ｈ−イミダゾール−４−イル）−１−｛（３−メチル−ベンジル）−［（２−フェニル−プロピルカルバモイル）−メチル］−カルバモイル｝−エチル）−
カルバミン酸ベンジルエステル；
（Ｓ）−［１−｛（４−ジメチルアミノ−ベンジル）−［（２−フェニル−プロピルカルバモイル）−メチル］−カルバモイル｝−２−（１Ｈ−イミダゾール−４−イル）−エチル］−カルバミン酸ベンジルエステル；
（Ｓ）−（２−（１Ｈ−イミダゾール−４−イル）−１−｛（２−メチル−２−フェニル−プロピルカルバモイル）−メチル］−［４−（ピリジン−４−イルメトキシ）−ベンジル］−カルバモイル｝−エチル）−カルバミン酸ベンジルエステル；
（Ｓ）−（２−（１Ｈ−イミダゾール−４−イル）−１−｛［（２−メチル−２−フェニル−プロピルカルバモイル）−メチル］−［４−（ピリジン−３−イルメトキシ）−ベンジル］−カルバモイル｝−エチル）−カルバミン酸ベンジルエステル；
（２−（１−Ｈ−イミダゾール−４−イル）−１−｛イソブチル−［（２−フェニル−プロピルカルバモイル）−メチル］−カルバモイル｝−エチル）−カルバミン酸ベンジルエステル；
（Ｓ）−［１−｛（４−ベンジルオキシ−ベンジル）−［（２−メチル−２−フェニル−プロピルカルバモイル）−メチル］−カルバモイル｝−２−（３Ｈ−イミダゾール−４−イル）−エチル］−カルバミン酸ベンジルエステル；
（Ｓ）−２−（３−ベンジル−３−メチル−ウレイド）−Ｎ−（４−ベンジルオキシ−ベンジル）−３−（１Ｈ−イミダゾール−４−イル）−Ｎ−［（２−メチル−２−フェニル−プロピルカルバモイル）−メチル］−プロピオンアミド;
（Ｓ）−［１−｛（４−ベンジルオキシ−ベンジル）−［（２−ヒドロキシ−２−フェニル−エチルカルバモイル）−メチル］−カルバモイル｝−２−（３Ｈ−イミダゾール−４−イル）−エチル］−カルバミン酸ベンジルエステル；
（Ｓ）−（２−（１Ｈ−イミダゾール−４−イル）−１−｛（４−メトキシ−ベンジル）−［（２−フェニル−プロピルカルバモイル）−メチル］−カルバモイル｝−エチル）−カルバミン酸ベンジルエステル；
（Ｓ）−［１−（（４−ベンジルオキシ−ベンジル）−｛［２−（２−クロロ−フェニル）−エチルカルバモイル］−メチル｝−カルバモイル）−２−（１Ｈ−イミダゾール−４−イル）−エチル］−カルバミン酸ベンジルエステル；
（Ｓ）−［１−｛（４−ベンジルオキシ−ベンジル）−［（２−メチル−２−フェニル−プロピルカルバモイル）−メチル］−カルバモイル｝−２−（１Ｈ−イミダゾール−４−イル）−エチル］−カルバミン酸チオフェン−３−イルメチルエステル；
（Ｓ）−［１−｛（４−クロロ−ベンジル）−［１−（２−メチル−２−フェニル−プロピルカルバモイル）−エチル］−カルバモイル｝−２−（３Ｈ−イミダゾール−４−イル）−エチル］−カルバミン酸ベンジルエステル；
（Ｓ）−（２−（１Ｈ−イミダゾール−４−イル）−１−｛（４−メチル−ベンジル）−［（２−メチル−２−フェニル−プロピルカルバモイル）−メチル］−カルバモイル｝−エチル）−カルバミン酸ベンジルエステル；
（Ｓ）−（２−（１Ｈ−イミダゾール−４−イル）−１−｛（２−メトキシ−ベンジル）−［(２−メチル−２−フェニル−プロピルカルバモイル)−メチル］−カルバモイル｝−エチル）−カルバミン酸ベンジルエステル；
（Ｓ）−２−（３−ベンジル−３−メチル−ウレイド）−Ｎ−（４−クロロ−ベンジル）−３−（１Ｈ−イミダゾール−４−イル）−Ｎ−［（２−メチル−２−フェニル−プロピルカルバモイル）−メチル］−プロピオンアミド；
（Ｓ）−（２−（１Ｈ−イミダゾール−４−イル）−１−｛（３−メトキシ−ベンジル）−［(２−メチル−２−フェニル−プロピルカルバモイル)−メチル］−カルバモイル｝−エチル）−カルバミン酸ベンジルエステル；
（Ｓ）−（２−（１Ｈ−イミダゾール−４−イル）−１−｛［（２−メチル−２−フェニル−プロピルカルバモイル）−メチル］−［２−（ピリジン−４−イルメトキシ）−ベンジル］−カルバモイル｝−エチル）−カルバミン酸ベンジルエステル；
（Ｓ）−［１−｛シクロヘキシルメチル−［（２−フェニル−プロピルカルバモイル）
−メチル］−カルバモイル｝−２−（３Ｈ−イミダゾール−４−イル）−エチル］−カルバミン酸ベンジルエステル；
（Ｓ）−［１−｛（４−ベンジルオキシ−ベンジル）−［（２−フェニル−ペンチルカルバモイル）−メチル］−カルバモイル｝−２−｛３Ｈ−イミダゾール−４−イル）−エチル］−カルバミン酸ベンジルエステル；
（Ｓ）−［１−｛［２−(４−ベンジルオキシ−フェニル)−エチル］−［（２−メチル−２−フェニル−プロピルカルバモイル）−メチル］−カルバモイル｝−２−（３Ｈ−イミダゾール−４−イル）−エチル］−カルバミン酸ベンジルエステル；
（Ｓ）−（２−（３Ｈ−イミダゾール−４−イル）−１−｛［２−（４−メトキシ−フェニル）−エチル］−［（２−メチル−２−フェニル−プロピルカルバモイル）−メチル］−カルバモイル｝−エチル）−カルバミン酸ベンジルエステル；
（Ｓ）−［１−［｛［２−（２−アミノ−フェニル）−エチルカルバモイル］−メチル｝−（４−ベンジルオキシ−ベンジル）−カルバモイル］−２−（３Ｈ−イミダゾール−４−イル）−エチル］−カルバミン酸ベンジルエステル；
（２−（１Ｈ−イミダゾール−４−イル）−１−｛イソブチル−［（２−フェニル−プロピルカルバモイル）−メチル］−カルバモイル｝−エチル）−カルバミン酸ベンジルエステル；
（Ｓ）−［１−｛(４−ベンジルオキシ−ベンジル）−［(２−メチル−２−フェニル−プロピルカルバモイル）−メチル］−カルバモイル｝−２−（３Ｈ−イミダゾール−４−イル）−エチル］−メチル−カルバミン酸ベンジルエステル;
（Ｓ）−［１−｛（４−ベンジルオキシ−ベンジル）−［（２−メチル−２−フェニル−プロピルカルバモイル）−メチル］−カルバモイル｝−２−（３−メチル−３Ｈ−イミダゾール−４−イル）−エチル］−カルバミン酸ベンジルエステル；
（Ｓ）−［１−｛（４−ベンジルオキシ−ベンジル）−［（２−メチル−２−フェニル−プロピルカルバモイル）−メチル］−カルバモイル｝−２−（１−メチル−１Ｈ−イミダゾール−４−イル）−エチル］−カルバミン酸ベンジルエステル；
（Ｓ）−［１−｛（４−ベンジルオキシ−ベンジル）−［（２−メチル−２−フェニル−プロピルカルバモイル）−メチル］−カルバモイル｝−２−（３Ｈ−イミダゾール−４−イル）−エチル］−カルバミン酸フラン−２−イルメチルエステル；
（Ｓ）−［１−｛（４−ベンジルオキシ−ベンジル）−［（２−メチル−２−フェニル−プロピルカルバモイル）−メチル］−カルバモイル｝−２−（３Ｈ−イミダゾール−４−イル）−エチル］−カルバミン酸チオフェン−２−イルメチルエステル；
（Ｓ）−［１−｛（４−ベンジルオキシ−ベンジル）−［（２−メチル−２−フェニル−プロピルカルバモイル）−メチル］−カルバモイル｝−２−（３Ｈ−イミダゾール−４−イル）−エチル］−カルバミン酸ピリジン−３−イルメチルエステル；
（Ｓ）−［１−｛（４−ベンジルオキシ−ベンジル）−［（２−メチル−２−フェニル−プロピルカルバモイル）−メチル］−カルバモイル｝−２−（３Ｈ−イミダゾール−４−イル）−エチル］−カルバミン酸１Ｈ−イミダゾール−４−イルメチルエステル；
（Ｓ）−２−（３−ベンジル−ウレイド）−Ｎ−（４−クロロ−ベンジル）−３−（３Ｈ−イミダゾール−４−イル）−Ｎ−［（２−メチル−２−フェニル−プロピルカルバモイル）−メチル］−プロピオンアミド；
（Ｓ）−［１−｛（４−ベンジルオキシ−ベンジル）−［（２−メチル−２−フェニル−プロピルカルバモイル）−メチル］−カルバモイル｝−２−（３Ｈ−イミダゾール−４−イル）−エチル］−カルバミン酸４−メトキシ−ベンジルエステル；
（Ｓ）−２−（３−ベンジル−チオウレイド）−３−（３Ｈ−イミダゾール−４−イル）−Ｎ−（４−メチル−ベンジル）−Ｎ−［（２−メチル−２−フェニル−プロピルカルバモイル）−メチル］−プロピオンアミド；
（Ｓ）−２−アセチルアミノ−Ｎ−（４−ベンジルオキシ−ベンジル）−３−（３Ｈ−イミダゾール−４−イル）−Ｎ−［（２−メチル−２−フェニル−プロピルカルバモイル）−メチル］−プロピオンアミド；
（Ｓ）−（２−（３Ｈ−イミダゾール−４−イル）−１−｛［（２−メチル−２−フェニル−プロピルカルバモイル）−メチル］−ピリジン−４−イルメチル−カルバモイル｝−エチル）−カルバミン酸ベンジルエステル；
（Ｓ）−｛２−（３Ｈ−イミダゾール−４−イル）−１−［（４−ヨード−ベンジル）−（フェネチルカルバモイル−メチル）−カルバモイル］−エチル｝−カルバミン酸ベンジルエステル；
（Ｓ）−［１−｛（４−アミノ−ベンジル）−［（２−メチル−２−フェニル−プロピルカルバモイル）−メチル］−カルバモイル｝−２−（３Ｈ−イミダゾール−４−イル）−エチル］−カルバミン酸ベンジルエステル；
（Ｓ）−［１−｛（４−エトキシ−ベンジル）−［（２−メチル−２−フェニル−プロピルカルバモイル）−メチル］−カルバモイル｝−２−（３Ｈ−イミダゾール−４−イル）−エチル］−カルバミン酸ベンジルエステル；
（Ｓ）−［１−｛［４−（２−ジメチルアミノ−エトキシ）−ベンジル］−［（２−メチル−２−フェニル−プロピルカルバモイル）−メチル］−カルバモイル｝−２−（３Ｈ−イミダゾール−４−イル）−エチル］−カルバミン酸ベンジルエステル；
（２−（１Ｈ−イミダゾール−４−イル）−１−｛イソブチル−［（２−メチル−２−フェニル−プロピルカルバモイル）−メチル］−カルバモイル｝−エチル）−カルバミン酸ベンジルエステル；
（Ｓ）−［１−（（４−ベンジルオキシ−ベンジル）−｛［（１−フェニル−シクロブチルメチル）−カルバモイル］−メチル｝−カルバモイル）−２−（１Ｈ−イミダゾール−４−イル）−エチル］−カルバミン酸ベンジルエステル；
（Ｓ）−［１−（（４−ベンジルオキシ−ベンジル）−｛［（１−フェニル−シクロプロピルメチル）−カルバモイル］−メチル｝−カルバモイル）−２−（１Ｈ−イミダゾール−４−イル）−エチル］−カルバミン酸ベンジルエステル;
（Ｓ）−［１−（（４−ベンジルオキシ−ベンジル）−｛［（１−フェニル−シクロペンチルメチル）−カルバモイル］−メチル｝−カルバモイル）−２−（１Ｈ−イミダゾール−４−イル）−エチル］−カルバミン酸ベンジルエステル;
（Ｓ）−［１−（（４−フェニル−ベンジル）−｛［（１−フェニル−シクロブチルメチル）−カルバモイル］−メチル｝−カルバモイル）−２−（１Ｈ−イミダゾール−４−イル）−エチル］−カルバミン酸ベンジルエステル；
（Ｓ）−［１−（（４−メトキシ−ベンジル）−｛［（１−フェニル−シクロブチルメチル）−カルバモイル］−メチル｝−カルバモイル）−２−（１Ｈ−イミダゾール−４−イル）−エチル］−カルバミン酸ベンジルエステル；
（Ｓ）−［１−（（４−メチル−ベンジル）−｛［（１−フェニル−シクロブチルメチル）−カルバモイル］−メチル｝−カルバモイル）−２−（１Ｈ−イミダゾール−４−イル）−エチル］−カルバミン酸ベンジルエステル；
（Ｓ）−Ｎ−（４−ベンジルオキシ−ベンジル）−２−（３−ベンジル−ウレイド）−３−（１Ｈ−イミダゾール−４−イル）−Ｎ−｛［（１−フェニル−シクロブチルメチル）−カルバモイル］−メチル｝−プロピオンアミド；
（Ｓ）−２−（３−ベンジル−３−メチル−ウレイド）−Ｎ−（４−ベンジルオキシ−ベンジル）−３−（１Ｈ−イミダゾール−４−イル）−Ｎ−｛［（１−フェニル−シクロブチルメチル）−カルバモイル］−メチル｝−プロピオンアミド；
（Ｓ）−［１−（（４−ベンジルオキシ−ベンジル）−｛［（１−フェニル−シクロブチルメチル）−カルバモイル］−メチル｝−カルバモイル）−２−（１Ｈ−イミダゾール−４−イル）−エチル］−チオカルバミン酸Ｓ−ベンジルエステル；
（Ｓ）−（２−（１Ｈ−イミダゾール−４−イル）−１−｛｛［（１−フェニル−シクロブチルメチル）−カルバモイル］−メチル｝−［４−（ピリジン−２−イル−メトキシ）−ベンジル］−カルバモイル｝−エチル）−カルバミン酸ベンジルエステル；
（Ｓ）−（１−（（シクロヘキシル−メチル）−｛［（１−フェニル−シクロブチルメチル）−カルバモイル］−メチル｝−カルバモイル）−２−（１Ｈ−イミダゾール−４−
イル）−エチル］−カルバミン酸ベンジルエステル；
（Ｓ）−（１−（（イソブチル）−｛［(１−フェニル−シクロブチルメチル)−カルバモイル］−メチル｝−カルバモイル）−２−（１Ｈ−イミダゾール−４−イル）−エチル］−カルバミン酸ベンジルエステル；
Ｎ−［（フェニルメトキシ）カルボニル］−Ｌ−ヒスチジル−Ｎ−［２−（フェニルメトキシ）エチル］−Ｎ2−［［４−（フェニルメトキシ）フェニル］メチル］グリシンアミド；
Ｎ−［(フェニルメトキシ）カルボニル］−Ｌ−ヒスチジル−Ｎ2−［(１,１′−ビフェニル）−４−イルメチル］−Ｎ−［２−（フェニルメトキシ）エチル］グリシンアミド；
Ｎ−［Ｎ−［Ｎ−［（フェニルメトキシ）カルボニル］−Ｌ−ヒスチジル］−Ｎ−［［４−（フェニルメトキシ）フェニル］メチル］グリシル］グリシンフェニルメチルエステル；
Ｎ−［（フェニルメトキシ）カルボニル］−Ｌ−ヒスチジル−Ｎ−（４−フェニルブチル）−Ｎ2−［［４−（フェニルメトキシ）フェニル］メチル］グリシンアミド；
Ｎ−［（フェニルメトキシ）カルボニル］−Ｌ−ヒスチジル−Ｎ−（３−フェノキシプロピル）−Ｎ2−［［４−（フェニルメトキシ）フェニル］メチル］グリシンアミド；
（Ｓ）−［１−（１Ｈ−イミダゾール−３−イルメチル）−２−オキソ−２−［［２−（フェニルメトキシ）エチル］［４−（フェニルメトキシ）フェニル］メチル］アミノ］エチル］カルバミン酸、フェニルメチルエステル；または
［１−（１Ｈ−イミダゾール−４−イルメチル）−２−オキソ−２−［１,２,３,４−テトラヒドロ−７−（フェニルメトキシ）−３−［［２−（フェニルメトキシ）エチル］アミノ］カルボニル］−２−イソキノリニル］エチル］カルバミン酸、フェニルメチルエステル
の少なくとも１種と少なくとも１種のＨＭＧ ＣｏＡリダクターゼ阻害剤との組み合わせ。
【請求項２２】  ＨＭＧ ＣｏＡリダクターゼ阻害剤がロバスタチンである、請求項２１記載の組み合わせ。
【請求項２３】  ＨＭＧ ＣｏＡリダクターゼ阻害剤がアトルバスタチンである、請求項２１記載の組み合わせ。
【請求項２４】  化合物が（Ｓ）−［１−｛（４−ベンジルオキシ−ベンジル）−［（２−メチル−２−フェニル−プロピルカルバモイル）−メチル］−カルバモイル｝−２−（３Ｈ−イミダゾール−４−イル）−エチル］−カルバミン酸ベンジルエステルである、請求項２２記載の組み合わせ。
【請求項２５】  化合物が（Ｓ）−［１−｛（４−ベンジルオキシ−ベンジル）−［（２−メチル−２−フェニル−プロピルカルバモイル）−メチル］−カルバモイル｝−２−（３Ｈ−イミダゾール−４−イル）−エチル］−カルバミン酸ベンジルエステルである、請求項２３記載の組み合わせ。